(57)【要約】【課題】  ガスセンサ９１の搭載場所を確保することによる体格の大型化を防ぐことのできる車両用空気清浄器を提供する。【解決手段】  空気汚れ度検出手段９を制御基板室８１内に配設するとともに、ケーシング２に副吸込口３１を設け、送風機５が作動すると副吸込口３１から吸い込まれた空気が空気汚れ度検出手段９の周りを通過して送風機５吸入側の上流側空気通路Ｋ１に流入するようになっている。  これよれば、空気汚れ度検出手段９をフィルタ６・７よりも上流側の吸込口３との間から、制御基板８と同じ制御基板室８１に配設することにより、車両用空気清浄器の体格の小型化が可能となる。【選択図】    図２
2006205937.tif 000002
【特許請求の範囲】
【請求項１】
一端に吸込口（３）、他端に吹出口（４）を有する空気通路（Ｋ）を内部に形成したケーシング（２）と、
前記空気通路（Ｋ）の途中に配設されて前記吸込口（３）から前記吹出口（４）へと向かう空気流を発生させる送風機（５）と、
前記空気通路（Ｋ）の途中に配置されて前記空気通路（Ｋ）を通過する空気を清浄化するフィルタ（６、７）と、
前記吸込口（３）から吸い込む空気の汚れ具合を検出する空気汚れ度検出手段（９）と、
前記空気汚れ度検出手段（９）の検出値が入力されるとともに、前記送風機（５）の作動を制御する制御手段（８）とを備え、
前記制御手段（８）を前記ケーシング（２）内の前記空気通路（Ｋ）とは別の空間（８１）に収納する車両用空気清浄器において、
前記空気汚れ度検出手段（９）を前記空間（８１）内に配設するとともに、前記ケーシング（２）に副吸込口（３１）を設け、前記送風機（５）が作動すると前記副吸込口（３１）から吸い込まれた空気が前記空気汚れ度検出手段（９）の周りを通過して前記送風機（５）吸入側の上流側空気通路（Ｋ１）に流入するようにしたことを特徴とする車両用空気清浄器。
【請求項２】
前記空気汚れ度検出手段（９）を前記制御手段（８）と一体にしたことを特徴とする請求項１に記載の車両用空気清浄器。
【請求項３】
前記空気汚れ度検出手段（９）にガス濃度感知式センサー（９１）を用いていることを特徴とする請求項１または請求項２のいずれか一項に記載の車両用空気清浄器。
【発明の詳細な説明】
【技術分野】
【０００１】
本発明は、車室内空気を清浄化する車両用空気清浄器に関するものである。
【背景技術】
【０００２】
従来、車両用空気清浄器として、吸込口および吹出口をそれぞれ一つずつ有する空気清浄器が公知である。図１は、そのような従来の車両用空気清浄器の一例を表す斜視図であり、図３は、図１の車両用空気清浄器の水平断面構造図である。本例の車両用空気清浄器は、オーバーヘッドタイプと称されるタイプのものであり、車室内天井の略中央、通常ルームランプのあるところに取り付けられている。
【０００３】
車両用空気清浄器のケーシングは、大きく分けて空気の吹出口用のグリル４とルームランプ部１０とを兼用した本体上ケース２Ａと、本体下ケース２Ｂと、空気の吸込口用のグリル３を兼用したフィルタカバー２Ｃとから構成されている。そして、本体の下面側にはルームランプの切り換えスイッチ１０ａや、空気清浄機能の切り換え（オン・オフ、オート・マニュアル、風量のハイ・ローなど）スイッチ１１などが配置されている。
【０００４】
ケーシングの内部には、吸込口３から吹出口４に至る空気通路Ｋが形成されると共に、その空気通路Ｋ内に吸込口３から吹出口４へと向かう空気流れを発生させるモータ５１と遠心多翼ファン５２とからなる送風機５が、空気通路Ｋの途中に設置されている。吸込口３は、車両用空気清浄器の車両後方側端面に設けられ、後部座席側から車室内空気を吸い込むようになっている。また吹出口４は、車両前方側の下面に設けられ、天井から下方に向けて清浄空気を吹き出すようになっている。
【０００５】
吸込口３と送風機５との間の上流側空気通路Ｋ１内には、空気流れに沿って上流から順に除塵フィルタ６および脱臭フィルタ７が配置されている。除塵フィルタ６は直方体の形状をしており、ひだ折りした不織布より成り、空気中の塵や液状粒子（例えば、ニコチンやタール）などを捕捉して除去するものである。また、脱臭フィルタ７は同じく直方体の形状をしており、ハニカム担体に添着された活性炭より成り、空気中の臭いを除去するものである。
【０００６】
この除塵フィルタ６および脱臭フィルタ７は、適当な使用期間（例えば、約半年）後に新しいフィルタに交換する必要があり、フィルタカバー２Ｃを本体上ケース２Ａから取り外すことにより、このフィルタ交換が簡単に行えるようになっている。
【０００７】
また、本例の車両用空気清浄器は、吸込口３から吸い込む空気の汚れ具合を検出する空気汚れ度検出手段９としてのガス濃度感知式センサー９１を備えている。具体的にガス濃度感知式センサー９１は、小さめの基板９２上に搭載され、吸込口３とフィルタ６・７との間の上流側空気通路Ｋ１内に配設されている。
【０００８】
また、本例の車両用空気清浄器は、ガス濃度感知式センサー９１の検出値が入力されるとともに、送風機５の作動を制御する制御基板８を備えている。この制御基板８は、ケーシング２内の空気通路Ｋとは別に本体上下ケース２Ａ・２Ｂで形成される空間（制御基板室）８１に収納されている。
【発明の開示】
【発明が解決しようとする課題】
【０００９】
上記従来のオーバーヘッドタイプなどの車両用空気清浄器では、車室内の空間が狭くなって乗員にとっては不快であるため、僅かでも車両用空気清浄器を小型化することが望まれている。しかしながら、ガスセンサを備えて空気の汚れを検知しながら作動させる場合、そのガスセンサは除塵・脱臭フィルタよりも上流側の吸込口との間に配設する必要があることより、ガスセンサの搭載場所を確保すると車両用空気清浄器全体の体格が大きくなるという問題がある。
【００１０】
本発明は、上記従来技術の問題点に鑑みて成されたものであり、その目的は、ガスセンサの搭載場所を確保することによる体格の大型化を防ぐことのできる車両用空気清浄器を提供することにある。
【課題を解決するための手段】
【００１１】
本発明は上記目的を達成するために、請求項１ないし請求項３に記載の技術的手段を採用する。すなわち、請求項１に記載の発明では、一端に吸込口（３）、他端に吹出口（４）を有する空気通路（Ｋ）を内部に形成したケーシング（２）と、
空気通路（Ｋ）の途中に配設されて吸込口（３）から吹出口（４）へと向かう空気流を発生させる送風機（５）と、
空気通路（Ｋ）の途中に配置されて空気通路（Ｋ）を通過する空気を清浄化するフィルタ（６、７）と、
吸込口（３）から吸い込む空気の汚れ具合を検出する空気汚れ度検出手段（９）と、
空気汚れ度検出手段（９）の検出値が入力されるとともに、送風機（５）の作動を制御する制御手段（８）とを備え、
制御手段（８）をケーシング（２）内の空気通路（Ｋ）とは別の空間（８１）に収納する車両用空気清浄器において、
空気汚れ度検出手段（９）を空間（８１）内に配設するとともに、ケーシング（２）に副吸込口（３１）を設け、送風機（５）が作動すると副吸込口（３１）から吸い込まれた空気が空気汚れ度検出手段（９）の周りを通過して送風機（５）吸入側の上流側空気通路（Ｋ１）に流入するようにしたことを特徴としている。
【００１２】
この請求項１に記載の発明によれば、空気汚れ度検出手段（９）をフィルタ（６、７）よりも上流側の吸込口（３）との間から、制御手段（８）と同じ空間（８１）に配設することにより、車両用空気清浄器の体格の小型化が可能となる。
【００１３】
背反として、空気汚れ度検出手段（９）の感度が鈍くなることが懸念されるが、ケーシング（２）に副吸込口（３１）を設け、その副吸込口（３１）から吸い込まれた車室内空気が空気汚れ度検出手段（９）の周りを通過して送風機（５）吸入側の上流側空気通路（Ｋ１）に流入するようにすることにより、ガスセンサの感度低下を回避することができる。また、小型化可能となることで、コストダウンも可能となる。
【００１４】
また、請求項２に記載の発明では、請求項１に記載の車両用空気清浄器において、空気汚れ度検出手段（９）を制御手段（８）と一体にしたことを特徴としている。この請求項２に記載の発明によれば、部品点数低減による組み付け容易化およびコストダウンが可能となる。
【００１５】
また、請求項３に記載の発明では、請求項１または請求項２のいずれか一項に記載の車両用空気清浄器において、空気汚れ度検出手段（９）にガス濃度感知式センサー（９１）を用いていることを特徴としている。この請求項３に記載の発明によれば、ガス濃度感知式センサー（９１）は光学式センサーなどと比べて小型で構造が簡単であるため、制御手段（８）と一体としたり、空間（８１）内に配設したりすることが容易となる。ちなみに、上記各手段の括弧内の符号は、後述する実施形態に記載の具体的手段との対応関係を示す一例である。
【発明を実施するための最良の形態】
【００１６】
（第１実施形態）
以下、本発明の実施の形態について図面を用いて詳細に説明する。図１は本発明に係る車両用空気清浄器の斜視図であり、図２は本発明の一実施形態における車両用空気清浄器の水平断面構造図である。本実施形態の車両用空気清浄器は、オーバーヘッドタイプと称されるタイプのものであり、車室内天井の略中央、通常ルームランプのあるところに取り付けられている。
【００１７】
車両用空気清浄器のケーシングは、大きく分けて空気の吹出口用のグリル４とルームランプ部１０とを兼用した本体上ケース２Ａと、本体下ケース２Ｂと、空気の吸込口用のグリル３を兼用したフィルタカバー２Ｃとから構成されている。そして、本体の下面側にはルームランプの切り換えスイッチ１０ａや、空気清浄機能の切り換え（オン・オフ、オート・マニュアル、風量のハイ・ローなど）スイッチ１１などが配置されている。
【００１８】
ケーシングの内部には、吸込口３から吹出口４に至る空気通路Ｋが形成されると共に、その空気通路Ｋ内に吸込口３から吹出口４へと向かう空気流れを発生させるモータ５１と遠心多翼ファン５２とからなる送風機５が、空気通路Ｋの途中に設置されている。吸込口３は、車両用空気清浄器の車両後方側端面に設けられ、後部座席側から車室内空気を吸い込むようになっている。また吹出口４は、車両前方側の下面に設けられ、天井から下方に向けて清浄空気を吹き出すようになっている。
【００１９】
吸込口３と送風機５との間の上流側空気通路Ｋ１内には、空気流れに沿って上流から順に除塵フィルタ６および脱臭フィルタ７が配置されている。除塵フィルタ６は直方体の形状をしており、ひだ折りした不織布より成り、空気中の塵や液状粒子（例えば、ニコチンやタール）などを捕捉して除去するものである。また、脱臭フィルタ７は同じく直方体の形状をしており、ハニカム担体に添着された活性炭より成り、空気中の臭いを除去するものである。
【００２０】
この除塵フィルタ６および脱臭フィルタ７は、適当な使用期間（例えば、約半年）後に新しいフィルタに交換する必要があり、フィルタカバー２Ｃを本体上ケース２Ａから取り外すことにより、このフィルタ交換が簡単に行えるようになっている。
【００２１】
次に、本発明の要部に関する構成・構造について説明する。本実施形態の車両用空気清浄器は、車室内から吸い込む空気の汚れ具合を検出する空気汚れ度検出手段９としてのガス濃度感知式センサー９１を備えている。なお、本実施形態でガス濃度感知式センサー９１は、制御基板（制御手段）８の上に搭載されて一体となっており、ケーシング２内の空気通路Ｋとは別に本体上下ケース２Ａ・２Ｂで形成される制御基板室（空間）８１に収納されている。
【００２２】
この制御基板８は、ガス濃度感知式センサー９１の検出値が入力されるとともに、送風機５の作動を制御するものである。また、本実施形態の車両用空気清浄器は、ケーシング２に副吸込口３１を設け、送風機５が作動すると副吸込口３１から吸い込まれた車室内空気がガス濃度感知式センサー９１の周りを通過して、送風機５吸入側の上流側空気通路Ｋ１に流入するようにしている。
【００２３】
ちなみに図２中の８１ａは、制御基板室８１と上流側空気通路Ｋ１とを連通させるために設けられた開口部である。これにより、ガス濃度感知式センサー９１の配設位置を変えても、従来通り吸い込み空気の汚れ度を検出することができる。
【００２４】
次に、本実施形態での特徴と、その効果について述べる。まず、空気汚れ度検出手段９を制御基板室８１内に配設するとともに、ケーシング２に副吸込口３１を設け、送風機５が作動すると副吸込口３１から吸い込まれた空気が空気汚れ度検出手段９の周りを通過して送風機５吸入側の上流側空気通路Ｋ１に流入するようになっている。
【００２５】
これよれば、空気汚れ度検出手段９をフィルタ６・７よりも上流側の吸込口３との間から、制御基板８と同じ制御基板室８１に配設することにより、車両用空気清浄器の体格の小型化が可能となる。
【００２６】
背反として、空気汚れ度検出手段９の感度が鈍くなることが懸念されるが、ケーシング２に副吸込口３１を設け、その副吸込口３１から吸い込まれた車室内空気が空気汚れ度検出手段９の周りを通過して送風機５吸入側の上流側空気通路Ｋ１に流入するようにすることにより、空気汚れ度検出手段９の感度低下を回避することができる。また、小型化可能となることで、コストダウンも可能となる。
【００２７】
また、空気汚れ度検出手段９を制御基板８と一体にしている。これによれば、部品点数低減による組み付け容易化およびコストダウンが可能となる。また、空気汚れ度検出手段９にガス濃度感知式センサー９１を用いている。これによれば、ガス濃度感知式センサー９１は光学式センサーなどと比べて小型で構造が簡単であるため、制御基板８と一体としたり、制御基板室８１内に配設したりすることが容易となる。
【００２８】
（その他の実施形態）
上述の実施形態では、オーバーヘッドタイプの車両用空気清浄器に本発明を適用したが、本発明は上述した実施形態に限定されるものではなく、据え置きタイプやビルドインタイプなどの車両用空気清浄器に適用しても良い。また、上述の実施形態ではフィルタ６・７の下流側に送風機５を配置した吸い込み型と成っているが、送風機５の下流側にフィルタ６・７を配置した押し込み型に適用しても良い。
【００２９】
また、上述の実施形態では吸込口と吹出口とがそれぞれ一つずつ有る空気清浄器に適用したが、一つの吸込口を正面に有するスクロール部を中央に配置し、そのスクロール部の両側に二つの吹出口を配置した構成に適用しても良い。また、上述の実施形態では浄化方式をろ過式としているが、静電式などであっても良い。また、上述の実施形態では、空気汚れ度検出手段としてガス濃度感知式センサーを用いているが、光学式センサーなどであっても良い。
【図面の簡単な説明】
【００３０】
【図１】本発明に係る車両用空気清浄器の斜視図である。
【図２】本発明の一実施形態における車両用空気清浄器の水平断面構造図である。
【図３】従来の車両用空気清浄器の一例を表す水平断面構造図である。
【符号の説明】
【００３１】
２…ケーシング
３…吸込口
４…吹出口
５…送風機
６…除塵フィルタ（フィルタ）
７…脱臭フィルタ（フィルタ）
８…制御基板（制御手段）
９…空気汚れ度検出手段
３１…副吸込口
８１…制御基板室（空間）
９１…ガス濃度感知式センサー
Ｋ…空気通路
Ｋ１…上流側空気通路
【図１】
2006205937.tif 000003
【図２】
2006205937.tif 000004
【図３】
2006205937.tif 000005